(57)【要約】      （修正有）【課題】外部から給水配管したり、外部に汚水を圧送配管したりすることが不要な水洗式ポータブルトイレを提供する。【解決手段】便器１１に取り付けたポンプ部１２と、便器１１と分離移動可能な移動式タンク部２０とを備え、移動式タンク部２０は少なくとも汚水を貯留するための汚水タンク２２を有し、ポンプ部１２は便器１１から汚物を汚水タンク２２に移送するためのものであり、汚水タンク２２は底部に開閉自在の排水口を有するとともに排水口の高さが既設の固定式水洗トイレの便器の高さよりも高い位置に設ける。【選択図】図１
2017012252.tif 000002
【特許請求の範囲】
【請求項１】
水洗式便器と、当該便器に取り付けた移送ポンプと、当該便器と分離移動可能な移動式タンク部とを備え、
前記移動式タンク部は少なくとも汚水を貯留するための汚水タンクを有し、
前記移送ポンプは便器から汚物を前記汚水タンクに移送するためのものであり、
前記汚水タンクは底部に開閉自在の排水口を有するとともに当該排水口の高さが既設の固定式水洗トイレの便器の高さよりも高いことを特徴とする水洗式ポータブルトイレ。
【請求項２】
前記移動式タンク部は、前記汚水タンクの他に給水タンクを備え、
前記汚水タンクと給水タンクとは密閉式であるとともに両方のタンクの空間部を直接又は間接的に連通してあることを特徴とする請求項１記載の水洗式ポータブルトイレ。
【発明の詳細な説明】
【技術分野】
【０００１】
本発明は、水洗式のポータブルトイレに関する。
【背景技術】
【０００２】
病院，老人ホーム等の介護現場においては、バケツ状の便槽を備えたポータブルトイレを使用した場合に、使用の都度、頻繁にバケツを取り出して汚物を処理する必要があり、その際の臭いも問題になる。
使用者にとっても水洗式が好まれる。
しかし、ポータブルトイレを水洗式にする場合には、便器への給水配管と汚水の排水配管が必要となる。
ところが、その配管が通行の妨げになったり、病院等においては配管の敷設そのものができない場合もある。
【０００３】
特許文献１には、便器と排水ホースとを一枚の装置固定台に搭載することで移動可能にした水洗トイレ装置を開示する。
しかし、同公報に開示する水洗トイレ装置もやはり給水ホース，排水ホース等の配管接続が必要となるものである。
【先行技術文献】
【特許文献】
【０００４】
【特許文献１】特開２００６−３４２６５２号公報
【発明の概要】
【発明が解決しようとする課題】
【０００５】
本発明は、外部から給水配管したり、外部に汚水を圧送配管したりすることが不要な水洗式ポータブルトイレの提供を目的とする。
【課題を解決するための手段】
【０００６】
本発明に係る水洗式ポータブルトイレは、水洗式便器と、当該便器に取り付けた移送ポンプと、当該便器と分離移動可能な移動式タンク部とを備え、前記移動式タンク部は少なくとも汚水を貯留するための汚水タンクを有し、前記移送ポンプは便器から汚物を前記汚水タンクに移送するためのものであり、前記汚水タンクは底部に開閉自在の排水口を有するとともに当該排水口の高さが既設の固定式水洗トイレの便器の高さよりも高いことを特徴とする。
なお、移動式タンク部には、汚水タンクと給水タンクとをセットに設けてもよい。
【０００７】
ここで水洗式便器とは、腰掛けタイプの洋式便器をいい、便器と分離させて移動可能な移動式タンク部には汚水タンクを有するものであり、この汚水タンクは移動式タンク部に取り替え可能なカートリッジ式のタンクであってもよい。
本発明は、この移動式タンク部を移送ポンプを介して便器側に連結すること、及び分離してキャスター等にて移動可能にしたことにより、使用者がトイレを使用して汚物が汚水タンクに溜まると便器から分離させて移動式タンク部を既設の固定式の水洗トイレまで移動させることができる。
ここで汚水タンクに設けた開閉自在の排水口の高さが固定式水洗トイレの便器の高さよりも高いので、排水口をそのまま固定式水洗トイレの便器の開口部（ボール開口部）に位置させることができるので、排水口のバルブ部を開き汚水を流し込むことができる。
【０００８】
本発明において、移動式タンク部は、前記汚水タンクの他に給水タンクを備え、前記汚水タンクと給水タンクとは密閉式であるとともに両方のタンクの空間部を連通連結してあるようにすることもできる。
このようにすると、汚水タンクが密閉状態になっているので、臭いの発生が少なくなるとともに、汚水タンクに汚水が送水されると汚水量により空間部の体積が少なくなるために空間部の圧力が上がる。
そこで、汚水タンクと給水タンクとの空間部を密閉状態で相互に連通させると、汚水タンクの空間部の上昇圧により給水タンクの空間部の圧力が上がり、水を便器に流し込むことができる。
これにより、給水タンクから便器側に送水するポンプを省略することもできる。
【発明の効果】
【０００９】
本発明に係る水洗式ポータブルトイレは、汚水タンクを便器側に連結及び分離可能に設置するとともに、汚水タンクの底部に設けた排水口の高さを固定式の一般水洗トイレの便器の高さより高く設定してあるので、そのまま排水口のバルブを開くだけで汚水処理が可能になる。
また、移動式タンク部に汚水タンクと給水タンクとをセットで設けると、従来のような便器と外部との配管敷設が不要になることから、ポータブルトイレの設置及び移動が容易である。
【図面の簡単な説明】
【００１０】
【図１】本発明に係る水洗式ポータブルトイレの外観図を示し、（ａ）は移動式タンク部を便器側に連結した状態、（ｂ）は分離させた状態を示す。
【図２】（ａ），（ｂ）は汚水タンクの高さと固定式水洗トイレの便器との高さの位置関係を示す。
【図３】汚水タンクと給水タンクとを密閉連結した構造例を模式的に示す。
【発明を実施するための形態】
【００１１】
本発明に係る水洗式ポータブルトイレの構造例を図１〜３に示した模式図に基づいて説明する。
本発明はこれに限定されるものではなく、目的に応じて設計変更が可能である。
水洗式ポータブルトイレは、洋式の便器１１をポンプ部１２を介して基部１３側に取り付けてある。
この基部１３に対して図１，２に示すように、連結及び分離可能に移動式タンク部２０を備える。
移動方法に制限はないが、本実施例ではキャスター２３を取り付けてある。
移動式タンク部２０は、給水タンク２１と汚水タンク２２を有し、この両方のタンクを両側の脚部２２ｃにて門構え状に設け、内側に空間（隙間）２４が形成されている。
給水タンク２１及び汚水タンク２２は、移動式タンク部２０の本体部に一体的に設けても、カートリッジ式に設けてもよい。
給水タンク２１には、便器側に給水するための給水口２１ａを有し、給水タンクに水を補給する補給部は省略してある。
汚水タンク２２には、便器側から汚水が送り込まれるための流入口２２ａを有する。
これら給水口２１ａ，流入口２２ａは、基部１３に設けた連結部を介してポンプ部１２と内部配管接続されているが、その構造は図示省略してある。
本実施例では、基部１３に肘掛け部１４を設けた例になっている。
ポンプ部には、汚水タンクに汚物を送水するためのポンプを有し、公知の圧送ポンプ，破砕機付ポンプ等を使用できる。
また、ポンプ部は給水タンク２１から洗浄水を便器側に流し込む送水ポンプ等を有してもよい。
これらを作動及び制御する操作部は図示を省略したが、公知の方法を用いることができる。
このようにすると、給水タンク及び汚水タンクを便器１１から分離移動させることができるので、ポータブルトイレの設置自由度が高く、外部との配管敷設工事も不要である。
【００１２】
移動式タンク部２０は、図２に示すように装着した汚水タンク１２の底部に自然放流式に設けた排水口２２ｂの床面からの高さＨ１を既設の固定式の一般水洗トイレ１の便器の高さＨ０よりも高く設定されている。
一般的な固定式トイレは、便座までの高さが約４００ｍｍであり、そのままその上に排水口２２ｂを移動させてもよく、また便座を後方側に開いて排水口２２ｂを便器の開口部に移動させてもよい。
よって、排水口２２ｂの高さは約４００ｍｍ以上が好ましく、汚水タンクの深さＬは容量等を考慮して設定される。
汚水タンクの容量は、１日〜２日に１回程度排水作業を行う場合、２０〜４０リットルの大きさが好ましい。
従来はバケツをその都度、手で運んで固定式水洗トイレなどにて処理していたが、１日〜２日で１回程度の処理作業で済ませるには、約２０ｋｇ程度を越える汚物等を処理することになり、このような重量になると持ち運ぶのが大変であり、特に固定式の洋式水洗トイレに処理するにはその高さまで持ち上げなければならず、現実的に無理である。
これを解消するために汚水タンクを移動式にした点に第１の特徴がある。
この点においても本発明のポータブルトイレは水洗式でない場合にも適用できる。
なお、排水口２２ｂには図示を省略したが、開閉自在のバルブ類が設けられている。
汚水タンク２２は、定期的に内部を洗浄できるように蓋部を設けてもよい。
【００１３】
図３は、汚水タンク２２と給水タンク２１とを密閉状態で相互に連通部２４ｂにて連結させた例を示す。
連通部２４ｂは、給水タンクと汚水タンクの上部空間部を直接連通させてもよいが、本実施例では連通部２４ｂの配管の先を給水タンクの水中に位置するように間接的に連通させてある。
ポンプ部１２と汚水タンク２２とも密閉状態で内部配管２４ａで連結され、給水タンク２１も便器側に密閉状態で内部配管２４ｃにて連結した例を示す。
このようにすると、送水ポンプにて汚水を汚水タンク２２に圧送すると、汚水量Ｗ１が増え、空間部の内部圧Ｐ１が上昇し、この圧力が給水タンクの水中部を経由して空間部に伝達される。
この内部圧力Ｐ２により給水用の水量Ｗ０の液面を押圧し、便器１１側の供給が容易になる。
本実施例では、給水タンクの底部に凹部２１ｂを形成し、この部分に水中ポンプ２５を設けた例になっている。
また、便器側へのサイホン流出防止手段を設けてもよい。
これにより外部に臭いが漏れるのを抑えることができ、予め給水タンクに消臭剤を投入しておくことで汚水タンクからのエアーが給水タンクの水中を通過するので消臭効果も期待できる。
【符号の説明】
【００１４】
１１      便器
１２      ポンプ部
１３      基部
２０      移動式タンク部
２１      給水タンク
２２      汚水タンク
【図１】
2017012252.tif 000003
【図２】
2017012252.tif 000004
【図３】
2017012252.tif 000005